(57)【要約】【課題】施工部全面を緑化することができ、作業効率、重量、腐食性の点で優れたウッドソイルフェンスを提供する。【解決手段】地面に水平に横設された木製の横木１１の前端部に、地面に略垂直な木製の縦木１２の下端部を締結してなる略Ｌ字状の脚部材１を一対並列させ、一対の脚部材１の縦木１２間に上下方向に隙間Ａを空けながら複数の木製のフェンス板３を横設し、隙間Ａ及び複数のフェンス板３を覆うように植生マット４を取り付ける。【選択図】図１
2008038508.tif 000002
【特許請求の範囲】
【請求項１】
地面に水平に横設された木製の横木の前端部に、地面に略垂直な木製の縦木の下端部を締結してなる略Ｌ字状の脚部材を一対並列させ、前記一対の脚部材の縦木間に上下方向に隙間を空けながら複数の木製のフェンス板を横設し、前記隙間及び前記複数のフェンス板を覆うように植生マットを取り付けたことを特徴とするウッドソイルフェンス。
【請求項２】
前記植生マットを、前記フェンス板の後側の面に取り付けたことを特徴とする請求項１に記載のウッドソイルフェンス。
【請求項３】
前記植生マットを、前記フェンス板の前側の面に取り付けたことを特徴とする請求項１に記載のウッドソイルフェンス。
【請求項４】
設置場所の上段側に布設可能なように、前記植生マットを最上部のフェンス板よりも上方に延設するとともに、設置場所の下段側に布設可能なように、前記植生マットを最下部のフェンス板よりも下方に延設したことを特徴とする請求項１乃至請求項３のうちいずれか一つに記載のウッドソイルフェンス。
【請求項５】
前記植生マットを前記フェンス板よりも左右方向に延設したことを特徴とする請求項１乃至請求項４のうちいずれか一つに記載のウッドソイルフェンス。
【請求項６】
前記横木の前端部側面と前記縦木の下端部側面を当接させて木製の軸部材で回動自在に締結し、設置時に所定の組付き角度において前記横木と前記縦木を前記軸部材方向に近づけて嵌合させることにより前記横木と前記縦木を前記所定の組付き角度で固定可能なように、前記横木の前端部側面又は前記縦木の下端部側面に凹部を形成し、かつ前記横木を地面に固定する木製のアンカーピンを備えたことを特徴とする請求項１乃至請求項５のうちいずれか一つに記載のウッドソイルフェンス。
【請求項７】
地面に水平に横設された木製の横木の前端部に、地面に略垂直な木製の縦木の下端部を締結してなる略Ｌ字状の脚部材を一対並列させ、前記一対の脚部材の縦木間に上下方向に隙間を空けながら複数の木製のフェンス板を横設し、前記隙間及び前記複数のフェンス板を覆うように、かつ最上部のフェンス板よりも上方に延設し、最下部のフェンス板よりも下方に延設するように植生マットを取り付けたウッドソイルフェンスの施工方法であって、
階段状に床掘りされた斜面に、前記横木の前端部が下段側を向くように前記ウッドソイルフェンスを配置して、前記横木をアンカーピンで地面に固定し、
前記床掘りされた斜面を前記縦木の高さまで埋め戻して上段側に平坦面を形成し、
前記植生マットの上方延設部分を前記上段側に形成された平坦面に布設し、前記植生マットの下方延設部分を下段側に布設することを特徴とするウッドソイルフェンスの施工方法。
【発明の詳細な説明】
【技術分野】
【０００１】
本発明は、ウッドソイルフェンスに関する。より詳細には、山の斜面等の傾斜地に設けられ、苗木を育成することによって緑化を図るとともに、土砂の崩落を防止し、かつ現場での設置が容易なソイルフェンスに関するものである。
【背景技術】
【０００２】
近年、山の斜面等の傾斜地に、苗木を育成して緑化を図るとともに土砂の崩落防止を目的としたソイルフェンスが多く設けられている。特に、主として木材で構成されたウッドソイルフェンスは、比較的短期間で腐食するため自然環境への負荷が小さく、数多く使用されている。
図１０乃至図１２は、それぞれ、従来のウッドソイルフェンス１００を示す、正面図、平面図、側面図である。
【０００３】
ウッドソイルフェンス１００は、所定の間隔を空けて平行に立設した一対の木製の縦木１０２間に、木製のフェンス板１０３を複数取り付け、縦木１０２の下端部に、木製の横木１０１の前端部をボルト１０７で略Ｌ字状に締結し、さらに、縦木１０２と横木１０１とを角度固定材１０９で締結して、縦木１０２と横木１０１との組付き角度を設定するように構成されている。
【０００４】
ウッドソイルフェンス１００の施工時には、図１２に示すように、階段状に床掘りされた斜面に複数のウッドソイルフェンス１００を並べて配置して、横木１０１をアンカーピン１０８で地面に固定した後、床掘りされた斜面を埋め戻して上面に平坦面１５０を形成する。そして、平坦面１５０に苗木を植えて完了する。
このように、フェンス板１０３で土砂の崩落を防止するとともに、平坦面１５０に苗木を育成して斜面を緑化することができる。
【０００５】
また、従来のウッドソイルフェンスとして、主として木材と通水性及び腐食性の強いサンドマットで構成したもの（例えば、特許文献１参照。）や、予めウッドソイルフェンスをユニット化して生産し、現地での設置作業を容易にしたもの（例えば、特許文献２参照。）が開示されている。
【特許文献１】特開平１１−９３１７５号公報
【特許文献２】特開２０００−３５２０５８号公報
【発明の開示】
【発明が解決しようとする課題】
【０００６】
しかし、従来のウッドソイルフェンス１００においては、土砂の崩落を防止するために、フェンス板１０３が上下方向に隙間なく取り付けられており、そのためフェンス板１０３の前側の面が草木で覆われるようにはなっていない。従って、山裾から斜面を見上げると、緑化された斜面の中で、フェンス板１０３の部分だけが木材の茶色となって目立ってしまい、施工部全面を緑化することができない。
また、ウッドソイルフェンス１００を設置した後、その上段側の平坦面１５０や下段側には、苗木を植えたり草木の繁殖を促したりするために、植生マットを布設する必要があるが、別工程で行うため作業効率が悪い。
さらに、ボルト１０７、アンカーピン１０８、角度固定材１０９等、金属製の部品を用いるため、重量や腐食性の点で課題がある。
【０００７】
そこで本発明は、上記従来の課題を解決するためのものであり、施工部全面を緑化することができ、作業効率、重量、腐食性の点で優れたウッドソイルフェンスを提供するものである。
【課題を解決するための手段】
【０００８】
上記従来の課題を解決するために、請求項１に係る発明のウッドソイルフェンスは、地面に水平に横設された木製の横木（１１）の前端部に、地面に略垂直な木製の縦木（１２）の下端部を締結してなる略Ｌ字状の脚部材（１）を一対並列させ、前記一対の脚部材（１）の縦木（１２）間に上下方向に隙間（Ａ）を空けながら複数の木製のフェンス板（３）を横設し、前記隙間（Ａ）及び前記複数のフェンス板（３）を覆うように植生マット（４）を取り付けたことを特徴とする。
【０００９】
また、請求項２に係る発明は、請求項１に記載の発明において、前記植生マット（４）を、前記フェンス板（３）の後側の面に取り付けたことを特徴とする。
【００１０】
また、請求項３に係る発明は、請求項１に記載の発明において、前記植生マット（４）を、前記フェンス板（３）の前側の面に取り付けたことを特徴とする。
【００１１】
また、請求項４に係る発明は、請求項１乃至請求項３のうちいずれか一つに記載の発明において、設置場所の上段側に布設可能なように、前記植生マット（４）を最上部のフェンス板（３ａ）よりも上方に延設するとともに、設置場所の下段側に布設可能なように、前記植生マット（４）を最下部のフェンス板（３ｂ）よりも下方に延設したことを特徴とする。
【００１２】
また、請求項５に係る発明は、請求項１乃至請求項４のうちいずれか一つに記載の発明において、前記植生マット（４）を前記フェンス板（３）よりも左右方向に延設したことを特徴とする。
【００１３】
また、請求項６に係る発明は、請求項１乃至請求項５のうちいずれか一つに記載の発明において、前記横木（１１）の前端部側面と前記縦木（１２）の下端部側面を当接させて木製の軸部材（５）で回動自在に締結し、設置時に所定の組付き角度において前記横木（１１）と前記縦木（１２）を前記軸部材（５）方向に近づけて嵌合させることにより前記横木（１１）と前記縦木（１２）を前記所定の組付き角度で固定可能なように、前記横木（１１）の前端部側面又は前記縦木（１２）の下端部側面に凹部（１１ａ）を形成し、かつ前記横木（１１）を地面に固定する木製のアンカーピン（６）を備えたことを特徴とする。
【００１４】
また、請求項７に係る発明のウッドソイルフェンスの施工方法は、地面に水平に横設された木製の横木（１１）の前端部に、地面に略垂直な木製の縦木（１２）の下端部を締結してなる略Ｌ字状の脚部材（１）を一対並列させ、前記一対の脚部材（１）の縦木（１２）間に上下方向に隙間（Ａ）を空けながら複数の木製のフェンス板（３）を横設し、前記隙間（Ａ）及び前記複数のフェンス板（３）を覆うように、かつ最上部のフェンス板（３ａ）よりも上方に延設し、最下部のフェンス板（３ｂ）よりも下方に延設するように植生マット（４）を取り付けたウッドソイルフェンス（１）の施工方法であって、階段状に床掘りされた斜面に、前記横木（１１）の前端部が下段側を向くように前記ウッドソイルフェンス（１）を配置して、前記横木（１１）をアンカーピン（６）で地面に固定し、前記床掘りされた斜面を前記縦木（１２）の高さまで埋め戻して上段側に平坦面（５０）を形成し、前記植生マット（４）の上方延設部分（４ａ）を前記上段側に形成された平坦面（５０）に布設し、前記植生マット（４）の下方延設部分（４ｂ）を下段側に布設することを特徴とする。
【００１５】
なお、括弧内の記号は、発明を実施するための最良の形態および図面に記載された対応要素または対応事項を示す。
【発明の効果】
【００１６】
請求項１に記載の発明によれば、地面に水平に横設された木製の横木の前端部に、地面に略垂直な木製の縦木の下端部を締結して略Ｌ字状の脚部材を形成したので、横木を地面に固定することで脚部材を安定的に取り付けることができる。
また、一対の脚部材の縦木間に上下方向に隙間を空けながら複数の木製のフェンス板を横設したので、フェンス板の隙間から草木を繁殖させてフェンス板の前側の面を覆うことで、施工部全面を緑化することができる。
また、隙間及び複数のフェンス板を覆うように植生マットを取り付けたので、植生マットでフェンス板の隙間からの土砂流出を防止するとともに、保水性、保温性を高めて隙間からの草木の繁殖を促進することができる。
また、材料を木製とすることで比較的短期間に腐食させることができるので、自然環境への負荷が小さい。
【００１７】
また、請求項２に記載の発明によれば、請求項１に記載の発明の作用効果に加えて、植生マットをフェンス板の後側の面に取り付けたので、フェンス板と斜面で植生マットを挟み込むことになり、斜面からの土砂流出の圧力に耐えやすい。
【００１８】
また、請求項３に記載の発明によれば、請求項１に記載の発明の作用効果に加えて、植生マットをフェンス板の前側の面に取り付けたので、フェンス板の前側の面全体に草木を繁殖させやすい。
【００１９】
また、請求項４に記載の発明によれば、請求項１乃至請求項３のうちいずれか一つに記載の発明の作用効果に加えて、植生マットを、最上部のフェンス板よりも上方に延設し、最下部のフェンス板よりも下方に延設したので、植生マットが予め装着されており、ウッドソイルフェンスを斜面に設置した後で、延設された部分を設置場所の上段側及び下段側に広げて、効率よく布設することができる。
【００２０】
また、請求項５に記載の発明によれば、請求項１乃至請求項４のうちいずれか一つに記載の発明の作用効果に加えて、植生マットを、フェンス板よりも左右方向に延設したので、複数のウッドソイルフェンスを並べて設置する際に、隣り合うウッドソイルフェンスの植生マットの側端部を重ね合わせて、隙間なく斜面を覆うことができる。
【００２１】
また、請求項６に記載の発明によれば、請求項１乃至請求項５のうちいずれか一つに記載の発明の作用効果に加えて、横木の前端部側面と縦木の下端部側面を当接させて木製の軸部材で締結し、かつ横木を地面に固定する木製のアンカーピンを備えたので、軸部材とアンカーピンを木製にすることで、金属製のものと比べて軽量化することができ、また腐食性を向上させることができる。
また、横木と縦木を回動自在に締結したので、ウッドソイルフェンスを折り畳むことができる。
また、横木の前端部側面又は縦木の下端部側面に凹部を形成し、横木と縦木を軸部材方向に近づけて嵌合させて所定の組付き角度で固定するようにしたので、従来のように角度固定材を使用することなく、横木と縦木を強固に固定することができる。
【００２２】
また、請求項７に記載の発明によれば、階段状に床掘りされた斜面に、横木の前端部が下段側を向くようにウッドソイルフェンスを配置して、横木をアンカーピンで地面に固定するので、土砂の崩落を防止する位置でウッドソイルフェンスを配置して固定することができる。
また、床掘りされた斜面を縦木の高さまで埋め戻して上段側に平坦面を形成するので、形成した平坦面に苗木等を植えて緑化することができる。
また、植生マットの上方延設部分を上段側に形成された平坦面に布設し、植生マットの下方延設部分を下段側に布設するので、草木を繁殖させる部分に延設部分を広げて、効率よく布設することができる。
【発明を実施するための最良の形態】
【００２３】
次に、図１乃至図５を参照して、本発明の実施形態１に係るウッドソイルフェンス及びその施工方法について説明する。
図１は、実施形態１に係るウッドソイルフェンス１０を示す斜視図であり、図２は、ウッドソイルフェンス１０を折り畳んだ状態を示す斜視図である。また、図３乃至図５は、それぞれ、ウッドソイルフェンス１０の設置状態を示す、正面図、平面図、側面図である。
【００２４】
図１及び図２に示すように、ウッドソイルフェンス１０は、主として、横木１１と縦木１２とからなる一対の脚部材１、複数（本実施形態では５枚）のフェンス板３、植生マット４から構成されている。
【００２５】
脚部材１は、地面に水平に横設された木製の横木１１の前端部に、地面に略垂直な木製の縦木１２の下端部を締結して、略Ｌ字状となるように形成されている。横木１１と縦木１２との締結部分では、横木１１の前端部側面と縦木１２の下端部側面とが当接するとともに、木製の軸部材５で回動自在に締結されている。
一方、横木１１の前端部寄りの側面には、縦木１２の下端部側面と嵌合する凹部１１ａが形成されており、ウッドソイルフェンス１０の設置時には、所定の組付き角度において横木１１と縦木１２を軸部材５の方向に近づけて嵌合させることにより、所定の組付き角度で固定するようになっている。なお、凹部１１ａの代わりに、縦木１２の下端部寄りの側面に、横木１１の前端部と嵌合する凹部を形成してもよい。
また、横木１１の後端部寄りには、木製のアンカーピン６を通すための貫通孔１１ｂが設けられている。
【００２６】
フェンス板３は木製の平板であり、一対の脚部材１の縦木１２の間に横設されている。このフェンス板３は、上下に隣接するフェンス板３間において、上下方向に複数の隙間Ａを空けながら、縦木１２の後側の面に釘やねじ等により取り付けられている。
【００２７】
植生マット４は、複数の隙間Ａ及び複数のフェンス板３の全体を覆うように、フェンス板３の後側の面に、タッカー等により取り付けられている。
また、植生マット４には、最上部のフェンス板３ａよりも上方に延設された上方延設部分４ａ、最下部のフェンス板３ｂよりも下方に延設された下方延設部分４ｂ、複数のフェンス板３よりも左右方向に延設された側方延設部分４ｃが設けられている。
さらに、植生マット４を縦木１２に取り付ける際に脚部材１を通すための切れ込み４ｄが設けられている。
【００２８】
ここで、植生マット４は、草類の種及び肥料が布の間に挟み込まれたマット状の布や、水分の蒸散を防ぐ目的の保湿性の布など、様々なものを用いることができるが、紙・ヤシ・ジュート（麻）等の植物性材料のものを用いることが好ましい。
植生マット４を用いれば、表土の乾燥・凍害を防ぎ、時間の経過により装着した草の種子、又は飛来した種子が発芽生育し表土を覆うことで、表土の安定と苗木の早期成長を助けることができる。
【００２９】
次に、実施形態１に係るウッドソイルフェンス１０の施工方法について説明する。
ウッドソイルフェンス１０は、予め工場で組み立てて、図２に示すような折り畳んだ状態で設置場所に運搬する。
設置場所では、図１に示すように、縦木１２を引き起こして脚部材１を略Ｌ字状とし、所定の組付き角度で固定する。このとき、横木１１と縦木１２を軸部材５の方向に近づけて、横木１１の凹部１１ａに縦木１２の下端部側面を嵌合させて固定する。なお固定後は、横木１１と縦木１２の嵌合部分がはずれないように、嵌合部分に釘を打ちつける等しておくとよい。
【００３０】
設置場所の斜面は、図５に示すように階段状に床掘りされており、この床掘りされた平坦部分に、複数のウッドソイルフェンス１０を横に並べて配置する。このとき、ウッドソイルフェンス１０の横木１１の前端部が下段側（谷側）を向くように配置する。また、隣り合うウッドソイルフェンス１０は、図３及び図４に示すように、それぞれのフェンス板３の側端部同士が触れ合うように隙間なく配置し、植生マット４の側方延設部分４ｃを重ね合わせる。なお、植生マット４の上方延設部分４ａは、前方に折り曲げてフェンス板３の前側の面に垂れ下げた状態にしておく。
そして、各横木１１の貫通孔１１ｂに、木製のアンカーピン６を挿入し、地面に打ちつけて固定する。アンカーピン６は、強度の高い木材を用いることが好ましく、例えば腐りにくいヒノキで、特に節のないものを使用するとよい。
【００３１】
ウッドソイルフェンス１０を地面に固定した後、床掘りされた斜面を縦木１２の高さまで埋め戻す。そうすると、図５に示すように上段側（山側）に平坦面５０が形成される。
そして、フェンス板３の前側の面に垂れ下げておいた植生マット４の上方延設部分４ａを、上段側の平坦面５０に広げて布設する。同様に、植生マット４の下方延設部分４ｂを下段側に広げて布設する。
最後に、植生マット４で覆われた平坦面５０に苗木を植える。
【００３２】
以上のようにウッドソイルフェンス１０を設置した後、時間が経過すると、平坦面５０には苗木や草木が繁殖するとともに、フェンス板３の隙間Ａからも、植生マット４から繁殖する草木が飛び出して、フェンス板３の前側の面を覆うようになり、施工部全体が緑化される。また、木製の部材や植物性材料の植生マットは、比較的短期間に腐食し、土や養分となる。
【００３３】
実施形態１に係るウッドソイルフェンス１０によれば、地面に水平に横設された木製の横木１１の前端部に、地面に略垂直な木製の縦木１２の下端部を締結して略Ｌ字状の脚部材１を形成したので、横木１１を地面に固定することで脚部材１を安定的に取り付けることができる。
また、一対の脚部材１の縦木１２間に上下方向に隙間Ａを空けながら複数の木製のフェンス板３を横設したので、フェンス板３の隙間Ａから草木を繁殖させてフェンス板３の前側の面を覆うことで、施工部全面を緑化することができる。
また、隙間Ａ及び複数のフェンス板３を覆うように植生マット４を取り付けたので、植生マット４でフェンス板３の隙間Ａからの土砂流出を防止するとともに、保水性、保温性を高めて隙間Ａからの草木の繁殖を促進することができる。
また、材料を木製とすることで比較的短期間に腐食させることができるので、自然環境への負荷が小さい。
【００３４】
また、植生マット４をフェンス板３の後側の面に取り付けたので、フェンス板３と斜面で植生マット４を挟み込むことになり、斜面からの土砂流出の圧力に耐えやすい。
【００３５】
また、植生マット４を、最上部のフェンス板３ａよりも上方に延設し、最下部のフェンス板３ｂよりも下方に延設したので、植生マット４が予め装着されており、ウッドソイルフェンス１０を斜面に設置した後で、延設された部分を設置場所の上段側及び下段側に広げて、効率よく布設することができる。
【００３６】
また、植生マット４を、フェンス板３よりも左右方向に延設したので、複数のウッドソイルフェンス１０を並べて設置する際に、隣り合うウッドソイルフェンス１０の植生マット４の側端部を重ね合わせて、隙間なく斜面を覆うことができる。
【００３７】
また、横木１１の前端部側面と縦木１２の下端部側面を当接させて木製の軸部材５で締結し、かつ横木１１を地面に固定する木製のアンカーピン６を備えたので、軸部材５とアンカーピン６を木製にすることで、金属製のものと比べて軽量化することができ、また腐食性を向上させることができる。
また、横木１１と縦木１２を回動自在に締結したので、ウッドソイルフェンス１０を折り畳むことができる。
また、横木１１の前端部側面に凹部１１ａを形成し、横木１１と縦木１２を軸部材５方向に近づけて嵌合させて所定の組付き角度で固定するようにしたので、従来のように角度固定材を使用することなく、横木１１と縦木１２を強固に固定することができる。
【００３８】
また、実施形態１に係るウッドソイルフェンス１０の施工方法によれば、階段状に床掘りされた斜面に、横木１１の前端部が下段側を向くようにウッドソイルフェンス１０を配置して、横木１２をアンカーピン６で地面に固定するので、土砂の崩落を防止する位置でウッドソイルフェンス１０を配置して固定することができる。
また、床掘りされた斜面を縦木１２の高さまで埋め戻して上段側に平坦面５０を形成するので、形成した平坦面５０に苗木等を植えて緑化することができる。
また、植生マット４の上方延設部分４ａを上段側に形成された平坦面５０に布設し、植生マット４の下方延設部分４ｂを下段側に布設するので、草木を繁殖させる部分に延設部分を広げて、効率よく布設することができる。
【００３９】
なお、本実施形態においては、植生マット４をフェンス板３の後側の面に取り付けたが、図６に示す他の実施形態のウッドソイルフェンス１５のように、植生マット４をフェンス板３の前側の面に取り付けてもよい。
このように、植生マット４をフェンス板３の前側の面に取り付ければ、フェンス板３の前側の面全体に草木を繁殖させやすい。
【００４０】
次に、図７乃至図９を参照して、本発明の実施形態２に係るウッドソイルフェンスについて説明する。
図７乃至図９は、それぞれ、実施形態２に係るウッドソイルフェンス２０の設置状態を示す、正面図、平面図、側面図である。
【００４１】
実施形態２に係るウッドソイルフェンス２０は、実施形態１に係るウッドソイルフェンス１０と同様に、主として、横木２１と縦木２２とからなる一対の脚部材２、複数（本実施形態では５枚）のフェンス板３、植生マット４から構成されているが、横木２１と縦木２２との締結方法、横木２１と縦木２２との組付き角度固定方法、及び横木２１の地面への固定方法が異なっている。
【００４２】
ウッドソイルフェンス２０の横木２１と縦木２２は、鉄製のボルト７で締結されている。
また、横木２１と縦木２２は、所定の組付き角度となるように、鉄製の肉薄板材である角度固定材９で締結されている。角度固定材９は、その上端部が縦木２２の中間部分に、その下端部が横木２１の中間部分に、それぞれねじ等の締結材で固定されている。このように実施形態２においては、横木２１と縦木２２が角度固定材９で所定の組付き角度に固定されるので、実施形態１と異なり、横木の前端部に縦木の下端部と嵌合する凹部は形成されていない。
また、横木２１は鉄製のアンカーピン８で地面に固定されている。
【００４３】
実施形態２に係るウッドソイルフェンス２０によれば、実施形態１に係るウッドソイルフェンス１０と同様に、フェンス板３の隙間Ａから草木を繁殖させてフェンス板３の前側の面を覆うことで、施工部全面を緑化することができる等の効果が得られる。
なお、ウッドソイルフェンス２０では、鉄製のボルト７、アンカーピン８、角度固定材９を使用するため、木製のものと比べて腐食性に劣るが、最終的には酸化して腐食するため、恒久的に土中に残存することはない。
【図面の簡単な説明】
【００４４】
【図１】本発明の実施形態１に係るウッドソイルフェンスを示す斜視図である。
【図２】実施形態１に係るウッドソイルフェンスを折り畳んだ状態を示す斜視図である。
【図３】実施形態１に係るウッドソイルフェンスの設置状態を示す正面図である。
【図４】実施形態１に係るウッドソイルフェンスの設置状態を示す平面図である。
【図５】実施形態１に係るウッドソイルフェンスの設置状態を示す側面図である。
【図６】他の実施形態に係るウッドソイルフェンスの設置状態を示す側面図である。
【図７】実施形態２に係るウッドソイルフェンスの設置状態を示す正面図である。
【図８】実施形態２に係るウッドソイルフェンスの設置状態を示す平面図である。
【図９】実施形態２に係るウッドソイルフェンスの設置状態を示す側面図である。
【図１０】従来例に係るウッドソイルフェンスの設置状態を示す正面図である。
【図１１】従来例に係るウッドソイルフェンスの設置状態を示す平面図である。
【図１２】従来例に係るウッドソイルフェンスの設置状態を示す側面図である。
【符号の説明】
【００４５】
１      脚部材
２      脚部材
３      フェンス板
３ａ    フェンス板（最上部）
３ｂ    フェンス板（最下部）
４      植生マット
４ａ    上方延設部分
４ｂ    下方延設部分
４ｃ    側方延設部分
４ｄ    切れ込み
５      軸部材
６      アンカーピン
７      ボルト
８      アンカーピン
９      角度固定材
１０      ウッドソイルフェンス
１１      横木
１１ａ    凹部
１１ｂ    貫通孔
１２      縦木
１５      ウッドソイルフェンス
２０      ウッドソイルフェンス
２１      横木
２２      縦木
５０      平坦面
１００      ウッドソイルフェンス
１０１      横木
１０２      縦木
１０３      フェンス板
１０７      ボルト
１０８      アンカーピン
１０９      角度固定材
Ａ      隙間
【図１】
2008038508.tif 000003
【図２】
2008038508.tif 000004
【図３】
2008038508.tif 000005
【図４】
2008038508.tif 000006
【図５】
2008038508.tif 000007
【図６】
2008038508.tif 000008
【図７】
2008038508.tif 000009
【図８】
2008038508.tif 000010
【図９】
2008038508.tif 000011
【図１０】
2008038508.tif 000012
【図１１】
2008038508.tif 000013
【図１２】
2008038508.tif 000014